(57)【要約】【課題】  本発明の課題は、幼児期における子供が、プラスチックや金属（車軸等）の部品を間違って飲み込んだりする心配のない、紙製品だけでできていて安全性の高い絵本であって、且つ優れた回転性能を有する車輪を有する乗物形絵本を提供することである。  【解決手段】  紙製の車輪と、該車輪を支持する紙製の軸を設けた絵本であって、該車輪と該軸の接触面の少なくとも一方に、回転促進剤をコーティングすると、フローリングの床の上を転がしたとき、車輪が滑らずに回転する。【選択図】  図１
2012213418.tif 000002
【特許請求の範囲】
【請求項１】
紙製の車輪と、該車輪を支持する紙製の軸を設けた絵本であって、該車輪と該軸の接触面の少なくとも一方に、回転促進剤をコーティングしてなる乗物形絵本。
【請求項２】
前記軸が固定され、前記車輪のみが回転する請求項１に記載の乗物形絵本。
【請求項３】
前記車輪と前記軸が、絵本の表表紙と裏表紙の中に独立して設けられていることを特徴とする請求項１または２に記載の乗物形絵本。
【請求項４】
回転促進剤が、潤滑剤である請求項１〜３に記載の乗物形絵本。
【請求項５】
車輪の外周面が波状の形状である請求項１〜４に記載の乗物形絵本。
【請求項６】
フローリングの床の上を転がしたとき、車輪が滑らずに回転することを特徴とする請求項１〜５に記載の乗物形絵本。
【発明の詳細な説明】
【技術分野】
【０００１】
本発明は、幼児期における子供用の乗物形絵本に関し、特に、回転性に優れた乗物形絵本に関する。
【背景技術】
【０００２】
近年、絵本の形態も進化していて、絵本を玩具のように使って遊ぶことができるようにしているものがある。
【０００３】
特許文献１には、段ボール紙により造られた、車軸を加えたブロック玩具（図１１参照）が記載されている。このブロック玩具６１は、板体６２、６３、６４を貫通する孔を２つ設け、この孔の中に棒体を挿通させ、この棒体の両端に円盤状の板体６５乃至６８を固定し、回転自在にしたもの（段落００２９参照）が記載されている。
しかし、段ボール紙を材料としているため、車輪の回転性能は決して良いものではなかった。
【０００４】
特許文献２には、絵本の外形が乗物の形状になっていて、この乗物形の絵本を使って遊ぶ際は、自動車や電車の車輪として回転するようになっている車輪付絵本が記載されている。
しかし、この絵本は、車輪支持体１０、基片１１、挾持片１２、左右車輪２０等は合成樹脂材によって一体的に形成された（段落００１１参照）合成樹脂（プラスチック）部品と、適宜自由に設定できる材料（金属）の車軸（段落００１３参照）が、紙製の中央ページにプラスチック製の挾持片１２で挟みこまれているだけなので、外れやすいといった問題があった。
【先行技術文献】
【特許文献】
【０００５】
【特許文献１】特開２００３−２０５１８４号公報
【特許文献２】実公平７−２２３１８号公報
【発明の概要】
【発明が解決しようとする課題】
【０００６】
本発明の課題は、幼児期における子供が、プラスチックや金属（車軸等）の部品を間違って飲み込んだりする心配のない紙製品だけでできていて、安全性の高い乗物形絵本を提供することである。
本発明の第２の課題は、紙製品でありながら、金属の車軸やプラスチック製の車輪を設けた乗物形の絵本と同等に優れた回転性能を有する車輪を有する乗物形絵本を提供できるようにすることである。
また、本発明の第３の課題は、幼児期における子供の遊び方や遊ぶ頻度によって絵本に設けている車輪を支持する軸にストレスが加わった場合でも、短期間で軸が破損したり、車輪や車軸が外れたりすることがなく、長期に亘りこの軸に支持される車輪が安定して回転できる乗物形絵本を提供できるようにすることである。
更に、本発明の第４の課題は、表表紙から裏表紙までの間のページに車輪がなく、通常の絵本としても読みやすい乗物形絵本を提供できるようにすることである。
【課題を解決するための手段】
【０００７】
上述した課題を解決するために、本発明に係る乗物形絵本は、紙製の車輪、該車輪を支持する紙製の軸を設けた絵本において、該車輪の内周面又は該軸の周面の少なくとも一方に、回転促進剤をコーティングすることを見出したものである。
【０００８】
すなわち、本発明は、以下の発明を包含する。
（１）紙製の車輪と、該車輪を支持する紙製の軸を設けた絵本であって、該車輪と該軸の接触面の少なくとも一方に、回転促進剤をコーティングしてなる乗物形絵本。
（２）前記軸が固定され、前記車輪のみが回転する前記（１）に記載の乗物形絵本。
（３）前記車輪と前記軸が、絵本の表表紙と裏表紙の中に独立して設けられていることを特徴とする前記（１）または（２）に記載の乗物形絵本。
（４）回転促進剤が、潤滑剤である前記（１）〜（３）に記載の乗物形絵本。
（５）車輪の外周面が波状の形状である前記（１）〜（４）に記載の乗物形絵本。
（６）フローリングの床の上を転がしたとき、車輪が滑らずに回転することを特徴とする前記（１）〜（５）に記載の乗物形絵本。
【０００９】
車輪を支持する紙製の軸は、絵本の中央頁に軸を差し込んで固定し、車両軸両端部分で車輪が回転できるように設定しても良いが、図６（表表紙の断面図）に示すように、２枚のボード紙１１で厚めのボード紙１２、車輪２、及び軸４を挟み込むようにして固定することが好ましい。
【００１０】
軸４の厚さ（直径）は、直径が５ｍｍ以上であることが好ましく、直径８ｍｍ以上であることがより好ましく、直径１０ｍｍ以上であることが最も好ましい。
軸４の厚さ（直径）が５ｍｍ未満である場合は、軸４の強度が低下し、遊んでいるうちに軸が抜けて、車輪２が外れやすくなるので、好ましくない。
【００１１】
軸４の長さは、絵本の長さを超えないことが望ましい。絵本の長さを超えると、車輪が絵本からはみ出すためである。
なお、表表紙３や裏表紙１０の中に軸を設ける場合の軸４の長さは、厚紙１２と同じか若干長めにするとよい。
表表紙３や裏表紙１０の中に輪４を設ける場合（図６参照）の軸の長さは１０ｍｍ以下が好ましく、７ｍｍ以下がより好ましく、５ｍｍ以下が最も好ましい。表表紙や裏表紙が厚くなりすぎると、本として開きづらいからである。
また、表表紙３や裏表紙１０の中に輪４を設ける場合（図６参照）の軸の長さは、０．５ｍｍ以上が好ましく、１ｍｍ以上がより好ましく、２ｍｍ以上が最も好ましい。０．５ｍｍ未満の場合は、車輪２の厚さも０．５ｍｍ未満となり、車輪２の強度が弱くなるので好ましくない。
【００１２】
車輪２（図３参照）は、子供などが手（指）によって回転させることができるもので、厚さは、０．５ｍｍ以上のものが好ましく、１ｍｍ以上のものがより好ましく、１．５ｍｍ以上が最も好ましい。０．５ｍｍ未満の場合は、車輪の強度が弱くなるので好ましくない。
また、車輪２の厚さの上限は、車輪２の厚さ（同じ位置に２枚の車輪を設ける場合は車輪２枚の厚さの合計）が本の厚さを超えないことが望ましい。
表表紙３や裏表紙１０の中に車輪を設ける場合（図６参照）の厚さは、前述した軸４の長さよりも若干短めにすることが好ましい。車輪２の厚さと軸４の長さが同じ場合は、車輪がボード紙１１と接触して回転しにくくなるためである。また、車輪の厚さが軸の長さより極端に短い場合は、回転する車輪２を支えるボード紙１１（図４、６参照）と車輪の間の隙間が大きくなりすぎて車輪が回転し難くなるためである。
【００１３】
車輪２の形状は円盤形で構わないが、回転性能を向上させるため、外周面を波状等の凹凸のある形状（図３参照）にしても良い。
また車輪は、絵本が自立できるように配置しても良い。
【００１４】
回転促進剤は、車輪２の内周面７或いは、軸４の周面５で車輪と接触する面（車軸と接触する面）のいずれか一方、または両方にコーティングする。
表表紙３や裏表紙１０の中に車輪を設ける（図１、２、６参照）場合は、車輪２の内周面、或いは軸４の周面５（周面全体が車輪と接触する）のいずれか一方、または両方にコーティングする。
【００１５】
この回転促進剤は、車輪の回転性能を上げることのできるものであれば特に限定されないが、具体的には、ワックス（蝋）、鉱物性潤滑油、シリコーン等の合成油、ヒマシ油等の植物性潤滑油、クジラ油等の動物性潤滑油からなる潤滑油やグリース等を含む潤滑剤が挙げられる。
【００１６】
なお、コーティングする際には、必要に応じて、接着剤を添加しても構わない。
【発明の効果】
【００１７】
本発明の乗物形絵本によれば、絵本が子供が遊ぶ際の安全性を優先するために、車輪と共に該車輪を支持する軸を絵本の本体と同様の紙を用いて形成したものであっても、回転体を支持する軸の強度を格段に向上できるので、子供の遊び方や遊ぶ頻度により絵本に設けている回転体を軸支する軸にストレスが加わった場合でも、該軸が短期間で破損することなく長期に亘り形状を安定して維持できる。
【００１８】
また、本発明の乗物形絵本は、車輪や車輪を支持する軸に回転促進剤を用いているので、車輪を長期に亘り安定して回転させることができるので、絵本を気に入っている子供がこの絵本で十分に遊ぶことができる。
【００１９】
そして、本発明の乗物形絵本は、車輪と共に該車輪を支持する絵本の本体と同じ紙で形成しているので、幼児期における子供が、プラスチックや金属（車軸等）の部品を間違って飲み込んだりする心配のない、安全性の高い乗物形絵本を提供することができる。そして、絵本を廃棄する場合は、該絵本をそのまま古紙等の資源ゴミとして出すことができる。
【図面の簡単な説明】
【００２０】
【図１】本発明の乗物形絵本の一例を示す斜視図。
【図２】乗物形絵本の一部拡大斜視図。
【図３】車輪２を示す斜視図。
【図４】閉じた状態の絵本。
【図５】開いた状態の絵本。
【図６】表表紙３の断面図
【発明を実施するための形態】
【００２１】
以下、本発明に係る乗物形絵本を、添付図面に示す具体例に基づいて説明する。
【００２２】
図１、２は、本発明の回転体を設けた紙材から形成された絵本の一例であって、絵本１の形状を自動車に模し、表表紙３と裏表紙１０の中に車輪２（前輪２ａ／後輪２ｂ）と車軸４を設けている。
なお、図１に示した絵本１は、表表紙３となる部分の一部を切り欠いて示していると共に、両側の後輪２ｂを取り外している状態の図にしていて、後輪２ｂを支持する該表表紙３に軸４の全体を視認できるようにしている。
【００２３】
図３は、車輪２であって、該車輪の中央に形成した前記軸４に遊嵌される通孔６の内周面７に、回転促進剤をコーティングしたものである。これにより、車輪２の回転面方向の厚みを大にして強度を得ることができない場合に前記通孔６の強度が向上し、車輪２をよりスムーズに回転させることができる。
【００２４】
図４は、完成状態における閉じた状態の絵本１を示し、またこの絵本１開いた状態を図５に示していて、表表紙３、ページ部分９、裏表紙１０における所定の部位に、該絵本の物語に係わる絵や文などが書かれる（図５では絵や文は省略している）。
【００２５】
以下、上述のように構成した本発明に係る乗物形絵本１の作用を説明すると、絵本１を力強く押したり引いたりすることによって車輪２の通孔６の内周面７が強く軸４の周面５に押圧されても、該周面部５がしっかりとこの押圧力を受け止めることができる。
【実施例】
【００２６】
以下に本発明の実施例を記載するが、本発明はこの実施例に限定されるものではない。
【００２７】
製造例１（本発明の乗物絵本の製本）
ボード紙を用いて、厚さ２ｍｍ、直径５０ｍｍ、通孔６の直径１２ｍｍで、外周面が波状の形状の車輪２を４個（図３参照）と、長さ３ｍｍ、厚さ（直径）１１．５ｍｍの軸４を４個（図２参照）製造した。
次に、車輪２の内周面７と軸４の周面５に回転促進剤として蝋と、接着剤として糊をコーティングした。
そして、図４に示す車の形状をしたボード紙１１に、図４に示す車の形状から車輪２と軸４の部分を切り取った厚さ２．８ｍｍの厚めのボード紙１２と、車輪２を２個（前輪と後輪）、軸４を２個設置し、２枚のボード紙１１で、車輪２を２個、軸４を２個と、厚めのボード紙１２を挟みこんで表表紙３を製造した。
また、同様の製法で裏表紙１０を製造し、これにページ部分９と背表紙８を付けて、Ｂ６サイズ（車輪の出っ張り部分を除く）の大きさの本発明の乗物形絵本１（図４参照）を製本した。
【００２８】
比較例１（比較乗物絵本の製造）
蝋と接着剤を使用しない以外は製造例１と同様に製造して、比較乗物形絵本を製本した。
【００２９】
走行試験
本発明の乗物形絵本１と、比較乗物形絵本を用いて、体育館の床（フローリング）の上で、走行テストを行った。
本発明の乗物形絵本１を押すと、床の上で車輪２が綺麗に回転したが、比較乗物形絵本は、床の上で車輪が滑ってしまい、車輪は回転しなかった。
【００３０】
耐久性試験
本発明の乗物形絵本１に、１０ｋｇの力で押しながら床の上を押すと、車輪２は滑らずに回転し、車軸が壊れることはなかった。
【００３１】
実施例における図中の符号８は、絵本１の背表紙、符号９は、絵本１のページ部分、符号１０は、絵本１の裏表紙である。また、符号１１と１２は、表表紙３のボード紙、厚めのボード紙である。
【符号の説明】
【００３２】
１  乗物形絵本（絵本）
２  車輪
２ａ  前輪
２ｂ  後輪
３  表表紙
４  軸
５  周面
６  通孔
７  内周面
８  背表紙
９  ページ部分
１０  裏表紙
１１  ボード紙
１２  厚めのボード紙
【図１】
2012213418.tif 000003
【図２】
2012213418.tif 000004
【図３】
2012213418.tif 000005
【図４】
2012213418.tif 000006
【図５】
2012213418.tif 000007
【図６】
2012213418.tif 000008